(57)【要約】【課題】  コンピュータを利用するユーザの権限とは別個に、プリンタドライバの初期設定を制限することができること【解決手段】  処理手段３２は、デバイスドライバの特殊設定を許可することを示す特殊設定フラグが記憶手段に格納されている場合に、設定項目の属性値を設定するための特殊設定画面を表示手段３９に表示すると共に、当該特殊設定画面において入力手段から設定項目の属性値を受付けて、当該受付けた設定項目の属性値を設定情報ファイルに格納する。そして、処理手段３２は、設定情報ファイルを参照して設定項目の属性値を読み出し、当該読み出した設定項目の属性値に基づいて、設定項目を表示、非表示又は変更不可とした初期設定画面を表示手段３９に表示する。【選択図】  図４
2006209292.tif 000002
【特許請求の範囲】
【請求項１】
デバイスが接続されたコンピュータに用いられるデバイスドライバにおいて、前記コンピュータが、入力手段、表示手段、記憶手段及びこれら各手段の動作を制御する処理手段を備え、
前記記憶手段に、
デバイスの機能の属性値を設定するための初期設定画面において設定項目の表示、非表示又は変更不可を識別する設定項目の属性値と、デバイスの機能の属性値と、を格納する設定情報ファイルと、特殊設定フラグを備えると共に、
前記処理手段に、
ａ）デバイスドライバの特殊設定を許可することを示す特殊設定フラグが前記記憶手段に格納されている場合に、前記設定項目の属性値を設定するための特殊設定画面を表示手段に表示すると共に、当該特殊設定画面において前記入力手段から前記設定項目の属性値を受付けて、当該受付けた設定項目の属性値を前記設定情報ファイルに格納するステップと、
ｂ）前記設定情報ファイルを参照して設定項目の属性値を読み出し、当該読み出した設定項目の属性値に基づいて、設定項目を表示、非表示又は変更不可とした初期設定画面を表示手段に表示するステップと、
ｃ）前記特殊設定フラグを、デバイスドライバの特殊設定を禁止することを示す特殊設定フラグに変更するステップと、
を実行させることを特徴としたデバイスドライバ。
【請求項２】
請求項１記載のデバイスドライバにおいて、
前記特殊設定フラグは、
所定の設定プログラムを実行する前記処理手段により、前記設定プログラムの実行開始時に、デバイスドライバの特殊設定を許可することを示す特殊設定フラグに変更されることを特徴としたデバイスドライバ。
【請求項３】
請求項２記載のデバイスドライバにおいて、
前記特殊設定フラグは、
所定の設定プログラムを実行する前記処理手段により、前記設定プログラムの実行終了時に、デバイスドライバの特殊設定を禁止することを示す特殊設定フラグに変更されることを特徴としたデバイスドライバ。
【請求項４】
請求項１乃至３記載の処理を実行するプログラムを記録したことを特徴としたコンピュータ読み取り可能な記録媒体。
【発明の詳細な説明】
【技術分野】
【０００１】
本発明は、コンピュータを利用するユーザの権限とは別個に、デバイスドライバの初期設定を制限することができるデバイスドライバに関する。
【背景技術】
【０００２】
従来、職場のシステム管理者等は、通信ネットワークに接続されたデバイスとしてのプリンタを一般ユーザに使用させるために、デバイスドライバとしてのプリンタドライバをその使用環境に合わせて修正していた。使用環境に応じて、一般ユーザが利用できるプリンタの機能を制限するためである。また、当該修正したプリンタドライバは、媒体により又は共有サーバにインストールして共有することにより一般ユーザに配布されていた。そして、一般ユーザは、各自が使用するコンピュータに上記プリンタドライバをインストールすることによりプリンタを利用することができた。
【０００３】
一方、一般ユーザが利用できるプリンタの機能を変更する場合には、プリンタドライバを修正する必要があり、一般ユーザは修正されたプリンタドライバをコンピュータに再インストールする必要があった。
【０００４】
これに関して、プリンタドライバを再インストールしなくても、コンピュータ管理者権限を有するユーザのみプリンタドライバの初期設定をすることができる、又は一般ユーザであっても当該初期設定をすることができるプリンタドライバが開示されている（例えば、特許文献１）。ここで、プリンタドライバの初期設定とは、当該プリンタドライバに対応するプリンタにおいて利用する機能の属性値等を予め設定することをいう。
【０００５】
しかし、特許文献１で開示されているプリンタドライバは、コンピュータを利用するユーザの権限とは別個に、プリンタドライバの初期設定を制限することができなかった。このため、上記プリンタドライバがインストールされているコンピュータにおいてａｄｍｉｎｉｓｔｒａｔｏｒ、ｒｏｏｔ等のコンピュータ管理者権限を有するユーザは、必然的にプリンタドライバの初期設定を自由に変更することができた。例えば、一般ユーザが個人的に所有しているノートＰＣ（Ｐｅｒｓｏｎａｌ  Ｃｏｍｐｕｔｅｒ）では、当該一般ユーザがコンピュータ管理者権限を有している場合が多く、上記プリンタドライバの初期設定を自由に変更することができる。これを防止するため、職場のシステム管理者等は結局、一般ユーザが利用できるプリンタの機能を制限したプリンタドライバを上記ノートＰＣ等にインストールする必要があった。
【０００６】
これに関して、所定のロックファイルにより、プリンタドライバの初期設定を行うためのユーザインタフェースをロック状態にすることができるプリンタドライバが開示されている（例えば、特許文献２）。
【０００７】
しかし、特許文献２で開示されているプリンタドライバでは、共有サーバで共有されたプリンタドライバを、一般ユーザの利用するコンピュータにインストールする場合に、当該ロックファイルは一般ユーザの利用するコンピュータにインストールされない。当該ロックファイルは、プリンタドライバの設定情報を格納する一般的な設定情報ファイルとは別のものであるため、共有サーバのＯＳ（Ｏｐｅｒａｔｉｎｇ  Ｓｙｓｔｅｍ）が当該プリンタドライバの必須ファイルとして認識しないからである。このため、共有サーバのプリンタドライバの初期設定をそのまま一般ユーザの利用するコンピュータで利用することができなかった。
【特許文献１】特開２００３−３３０６５３号公報
【特許文献２】特開２００３−２１６３７４号公報
【発明の開示】
【発明が解決しようとする課題】
【０００８】
本発明は、かかる従来例の有する不都合を改善し、特に、コンピュータを利用するユーザの権限とは別個に、プリンタドライバの初期設定を制限することができると共に、共有サーバでデバイスドライバを共有することにより、当該デバイスドライバを一般ユーザの利用するコンピュータにインストールする際に、共有サーバのデバイスドライバの初期設定をそのまま一般ユーザの利用するコンピュータで利用することができるデバイスドライバを提供することを課題とする。
【課題を解決するための手段】
【０００９】
上記課題を解決するため、本発明では次のような構成を採っている。
【００１０】
本発明は、デバイスが接続されたコンピュータに用いられるデバイスドライバである。そして、上記コンピュータが、入力手段、表示手段、記憶手段及びこれら各手段の動作を制御する処理手段を備えている。また、上記記憶手段に、デバイスの機能の属性値を設定するための初期設定画面において設定項目の表示、非表示又は変更不可を識別する設定項目の属性値と、デバイスの機能の属性値と、を格納する設定情報ファイルと、特殊設定フラグを備えている。そして、上記処理手段に、デバイスドライバの特殊設定を許可することを示す特殊設定フラグが上記記憶手段に格納されている場合に、上記設定項目の属性値を設定するための特殊設定画面を表示手段に表示すると共に、当該特殊設定画面において上記入力手段から上記設定項目の属性値を受付けて、当該受付けた設定項目の属性値を上記設定情報ファイルに格納するステップと、上記設定情報ファイルを参照して設定項目の属性値を読み出し、当該読み出した設定項目の属性値に基づいて、設定項目を表示、非表示又は変更不可とした初期設定画面を表示手段に表示するステップと、上記特殊設定フラグを、デバイスドライバの特殊設定を禁止することを示す特殊設定フラグに変更するステップと、を実行させる。
【００１１】
本発明の別の態様では、上記特殊設定フラグは、所定の設定プログラムを実行する上記処理手段により、上記設定プログラムの実行開始時に、デバイスドライバの特殊設定を許可することを示す特殊設定フラグに変更される。
【００１２】
また、本発明の別の態様では、上記特殊設定フラグは、所定の設定プログラムを実行する上記処理手段により、上記設定プログラムの実行終了時に、デバイスドライバの特殊設定を禁止することを示す特殊設定フラグに変更される。
【発明の効果】
【００１３】
記憶手段にデバイスドライバの特殊設定を許可することを示す特殊設定フラグが格納されている場合に限り、特殊設定画面を表示手段に表示するので、コンピュータを利用するユーザの権限とは別個に、プリンタドライバの初期設定を制限することができる。また、初期設定画面において設定項目の表示、非表示又は変更不可を識別する設定項目の属性値を設定情報ファイルに格納しているので、共有サーバでデバイスドライバを共有することにより、当該デバイスドライバを一般ユーザの利用するコンピュータにインストールする際に、共有サーバのデバイスドライバの初期設定をそのまま一般ユーザの利用するコンピュータで利用することができる。
【発明を実施するための最良の形態】
【００１４】
以下、図面を参照しながら、本発明の実施形態について説明する。
【００１５】
図１は、本実施形態の全体構成を示すブロック図である。
【００１６】
デバイスドライバとしてのプリンタドライバを共有する共有サーバ２０と、デバイスとしてのプリンタ１０と、一般ユーザが利用するＰＣ３０とが、通信ネットワークとしてのＬＡＮ４０（Ｌｏｃａｌ  Ａｒｅａ  Ｎｅｔｗｏｒｋ）に接続されている。本実施形態では、プリンタ１０が通信ネットワークに直接接続されているが、共有サーバ２０等のコンピュータに直接接続されていてもよい。
【００１７】
共有サーバ２０は、本願発明のデバイスドライバとしてのプリンタドライバを一般的なＯＳ（Ｏｐｅｒａｔｉｎｇ  Ｓｙｓｔｅｍ）の機能により共有している。一方、ＰＣ３０には、共有サーバ２０で共有されているプリンタドライバが、一般的なＯＳの機能によりＬＡＮ４０を介してインストールされている。これにより、一般ユーザは、ＰＣ３０を操作して所望するデータをプリンタ１０から印刷することができるようになっている。
【００１８】
図２は、共有サーバ２０の構成図である。
【００１９】
処理手段としてのＣＰＵ２２、記憶手段としてのＲＡＭ２３、ＲＯＭ２４及びＨＤＤ２８（Ｈａｒｄ  Ｄｉｓｋ  Ｄｒｉｖｅ）、入力手段としてのキーボード２６及びマウス２７、表示手段としてのディスプレイ２９、並びに通信手段としてのＮＩＣ２５（Ｎｅｔｗｏｒｋ  Ｉｎｔｅｒｆａｃｅ  Ｃａｒｄ）が、バス２１に接続されている。
【００２０】
ＨＤＤ２８には、本願発明のデバイスドライバとしてのプリンタドライバと、プリンタドライバの初期設定等を格納した設定情報ファイルと、設定プログラムとが記憶されている。ここで、共有サーバ２０の処理手段は、プリンタドライバを実行することによりプリンタ１０を利用することができるようになっている。また、共有サーバ２０の処理手段は、設定プログラムを実行することにより、一般ユーザが利用できるプリンタ１０の機能を制限することができるようになっている。詳細については後述する。
【００２１】
図３は、設定情報ファイルの構造図である。
【００２２】
設定情報ファイルは、特殊設定フラグと、デバイスの機能の属性値を設定するための初期設定画面において設定項目の表示、非表示又は変更不可を識別する設定項目の属性値と、デバイスの機能の属性値とを格納する。
【００２３】
図３では、特殊設定フラグとしての「設定プログラムより起動」と、「Ｎｏ」が関連付けて設定情報ファイルに格納されている。本実施形態では、「設定プログラムより起動」に間連付けられた「Ｙｅｓ」は、デバイスドライバの特殊設定を許可することを示す特殊設定フラグを意味し、「設定プログラムより起動」に間連付けられた「Ｎｏ」は、デバイスドライバの特殊設定を禁止することを示す特殊設定フラグを意味する。
【００２４】
また、図３では、「給紙トレイをロック」と、設定項目の属性値としての「Ｎｏ」とが関連付けて設定情報ファイルに格納されている。共有サーバ２０の処理手段は、「給紙トレイをロック」と、「Ｎｏ」とが関連付けて設定情報ファイルに格納されている場合は、給紙トレイを変更可能とし、「給紙トレイをロック」と、「Ｙｅｓ」とが関連付けて設定情報ファイルに格納されている場合は、給紙トレイをロックして変更不可とするようになっている。さらに、図３では、「ＩＤ入力ポップアップ」と、設定項目の属性値としての「Ｎｏ」とが関連付けて設定情報ファイルに格納されている。共有サーバ２０の処理手段は、「ＩＤ入力ポップアップ」と、「Ｎｏ」とが関連付けて設定情報ファイルに格納されている場合は、印刷時にＩＤの入力を求めるポップアップを表示せず、「ＩＤ入力ポップアップ」と、「Ｙｅｓ」とが関連付けて設定情報ファイルに格納されている場合は、印刷時にＩＤの入力を求めるポップアップを表示するようになっている。
【００２５】
さらに、図３では、「給紙トレイ」と、デバイスの機能の属性値としての「トレイ１」とが関連付けて設定情報ファイルに格納されている。共有サーバ２０の処理手段は、「給紙トレイ」と、「トレイ１」とが関連付けて設定情報ファイルに格納されている場合は、「トレイ１」の用紙を利用して印刷するようになっている。
【００２６】
図４は、一般ユーザが利用するＰＣ３０の構成図である。
【００２７】
ＰＣ３０は、前述した共有サーバ２０と同様に、処理手段としてのＣＰＵ３２、記憶手段としてのＲＡＭ３３、ＲＯＭ３４及びＨＤＤ３８、入力手段としてのキーボード３６及びマウス３７、表示手段としてのディスプレイ３９、並びに通信手段としてのＮＩＣ３５（Ｎｅｔｗｏｒｋ  Ｉｎｔｅｒｆａｃｅ  Ｃａｒｄ）を備えた一般的な構成を採用している。
【００２８】
当該ＰＣ３０には、前述のとおり共有サーバ２０で共有されたプリンタドライバがインストールされている。そして、当該インストールにより共有サーバ２０と同じプリンタドライバ及び設定情報ファイルがＨＤＤ３８に記憶されている。
【００２９】
次に、本実施形態の共有サーバ２０の動作について説明する。
【００３０】
〔実施形態１〕
【００３１】
図５は、設定プログラムを実行する共有サーバ２０のフローチャートである。
【００３２】
共有サーバ２０の処理手段は、プリンタドライバを実行する（Ｓ１０）。ここで、プリンタドライバを実行する共有サーバ２０の処理手段は、プリンタドライバの実行時に、ＲＡＭ２３のプリンタドライバメモリ領域に設定情報ファイルを読込んで格納するようになっている。続いて、共有サーバ２０の処理手段は、プリンタドライバのプロセスから、設定情報ファイルを読込む（Ｓ１１）。本実施形態では、共有サーバ２０の処理手段は、プリンタドライバメモリ領域に格納された設定情報ファイルを、ＲＡＭ２３の設定プログラムメモリ領域にコピーする。
【００３３】
共有サーバ２０の処理手段は、設定プログラムメモリ領域の設定情報ファイルにおいて、「設定プログラムより起動」を「Ｙｅｓ」に変更する（Ｓ１２）。続いて、共有サーバ２０の処理手段は、プリンタドライバのプロセスに、設定プログラムメモリ領域の変更した設定情報ファイルを渡し、プリンタドライバの設定要求をする（Ｓ１５）。ここで、プリンタドライバを実行する共有サーバ２０の処理手段は、設定プログラムのプロセスから変更した設定情報ファイルを受け取り、プリンタドライバメモリ領域に格納する。そして、プリンタドライバを実行する共有サーバ２０の処理手段は、後述する処理を行う。また、図７（Ａ）、（Ｂ）は、それぞれ、設定プログラム実行前後におけるプリンタドライバメモリ領域の設定情報ファイルを示したものである。
【００３４】
図６は、プリンタドライバを実行する共有サーバ２０のフローチャートである。
【００３５】
共有サーバ２０の処理手段は、「設定プログラムより起動」と、「Ｙｅｓ」とが関連付けてプリンタドライバメモリ領域の情報設定ファイルに格納されている場合に、設定項目の属性値を設定するための特殊設定画面を表示手段に表示する（Ｓ３０）。ここで、設定項目の属性値とは、デバイスの機能の属性値を設定するための初期設定画面において設定項目の表示、非表示又は変更不可を識別するものである。本実施形態では、「給紙トレイをロックする」と、「給紙トレイをロックする」に間連付けられた「Ｙｅｓ」の情報、「ＩＤ入力ポップアップ」と、「ＩＤ入力ポップアップ」に間連付けられた「Ｎｏ」の情報等が設定項目の属性値に該当する。そして、共有サーバ２０の処理手段は、入力手段から設定項目の属性値を受付けて、当該受付けた設定項目の属性値をプリンタドライバメモリ領域の設定情報ファイルに格納する。例えば、給紙トレイをロックする設定にする場合には、共有サーバ２０の処理手段は、入力手段から「給紙トレイをロック」と、「給紙トレイにロック」に間連付けられた「Ｙｅｓ」の情報を受付けて、当該情報をプリンタドライバメモリ領域の設定情報ファイルに格納する。図７（Ｃ）は、特殊設定画面で給紙トレイをロックする設定をした後のプリンタドライバメモリ領域の設定情報ファイルを示したものである。
【００３６】
共有サーバ２０の処理手段は、プリンタドライバメモリ領域の設定情報ファイルに格納された設定項目の属性値に基づいて、設定項目を表示、非表示、又は変更不可とした初期設定画面を表示手段に表示する（Ｓ４５）。例えば、設定項目の属性値として「給紙トレイをロック」と、「給紙トレイにロック」に間連付けられた「Ｙｅｓ」とがプリンタドライバメモリ領域の設定情報ファイルに格納されている場合には、共有サーバ２０の処理手段は、給紙トレイを選択する設定項目を非活性化（グレーアウト）すること等により変更不可とする。また、給紙トレイを選択する設定項目を表示しないことにより、変更不可としてもよい。
【００３７】
共有サーバ２０の処理手段は、入力手段からデバイスの機能の属性値を受付けて、当該受付けた属性値をプリンタドライバメモリ領域の設定情報ファイルに格納する。そして、共有サーバ２０の処理手段は、「設定プログラムより起動」と、「Ｎｏ」とを関連付けてプリンタドライバメモリ領域の設定情報ファイルに格納する（Ｓ５０）。
【００３８】
共有サーバ２０の処理手段は、入力手段から設定終了の要求を受付けた場合に、プリンタドライバメモリ領域の設定情報ファイルを、ＨＤＤ２８に保存する（Ｓ５５）。図７（Ｄ）は、デバイスドライバの初期設定が終了した後のＨＤＤ２８の設定情報ファイルを示したものである。
【００３９】
その後、共有サーバ２０の処理手段は、デバイスの機能の属性値をＨＤＤ２８の設定情報ファイルから読み出して、当該読み出した属性値に応じてデバイスとしてのプリンタ１０を動作させる。
【００４０】
これによると、設定プログラムからデバイスドライバを実行した場合には、特殊設定画面が表示され、設定プログラムを実行せずにデバイスドライバを実行した場合には、特殊設定画面が表示されない。
【００４１】
〔実施形態２〕
【００４２】
本実施形態では、ＨＤＤ２８の設定情報ファイルに特殊設定フラグが格納されていない点を除いて、実施形態１と同じ構成を採用している。
【００４３】
図８は、設定プログラムを実行する共有サーバ２０のフローチャートである。
【００４４】
共有サーバ２０の処理手段は、特殊設定フラグとしての設定中フラグをＯｎにしてＨＤＤ２８に記憶する（Ｓ６５）。ここで、設定中フラグがＯｎの場合には、設定プログラムが実行中であり、かつ、デバイスドライバの特殊設定を許可することを意味し、設定中フラグがＯｆｆの場合には、設定プログラムが実行されておらず、かつ、デバイスドライバの特殊設定を禁止することを意味する。続いて、共有サーバ２０の処理手段は、デバイスドライバとしてのプリンタドライバを実行して、デバイスドライバの設定要求をする（Ｓ７０）。その後、共有サーバ２０の処理手段は、入力手段から設定プログラムの実行終了要求を受付けた場合に、設定中フラグをＯｆｆにしてＨＤＤ２８に記憶する（Ｓ７５）。
【００４５】
図９は、プリンタドライバを実行する共有サーバ２０のフローチャートである。
【００４６】
共有サーバ２０の処理手段は、ＨＤＤ２８の設定中フラグがＯｎの場合に、設定項目の属性値を設定するための特殊設定画面を表示手段に表示する（Ｓ８５）。ここで、設定項目の属性値とは、デバイスの機能の属性値を設定するための初期設定画面において設定項目の表示、非表示又は変更不可を識別するものである。本実施形態では、「給紙トレイをロックする」と、「給紙トレイをロックする」に間連付けられた「Ｙｅｓ」の情報、「ＩＤ入力ポップアップ」と、「ＩＤ入力ポップアップ」に間連付けられた「Ｎｏ」の情報等が設定項目の属性値に該当する。そして、共有サーバ２０の処理手段は、入力手段から設定項目の属性値を受付けて、当該受付けた設定項目の属性値をプリンタドライバメモリ領域の設定情報ファイルに格納する。例えば、給紙トレイをロックする設定にする場合には、共有サーバ２０の処理手段は、入力手段から「給紙トレイをロック」と、「給紙トレイにロック」に間連付けられた「Ｙｅｓ」の情報を受付けて、当該情報をプリンタドライバメモリ領域の設定情報ファイルに格納する。
【００４７】
共有サーバ２０の処理手段は、プリンタドライバメモリ領域の設定情報ファイルに格納された設定項目の属性値に基づいて、設定項目を表示、非表示、又は変更不可とした初期設定画面を表示手段に表示する（Ｓ１０５）。例えば、設定項目の属性値として「給紙トレイをロック」と、「給紙トレイにロック」に間連付けられた「Ｙｅｓ」とがプリンタドライバメモリ領域の設定情報ファイルに格納されている場合には、共有サーバ２０の処理手段は、給紙トレイを選択する設定項目を非活性化（グレーアウト）すること等により変更不可とする。また、給紙トレイを選択する設定項目をを表示しないことにより、変更不可としてもよい。
【００４８】
共有サーバ２０の処理手段は、入力手段からデバイスの機能の属性値を受付けて、当該受付けた属性値をプリンタドライバメモリ領域の設定情報ファイルに格納する。
【００４９】
共有サーバ２０の処理手段は、入力手段から設定終了の要求を受付けた場合に、プリンタドライバメモリ領域の設定情報ファイルを、ＨＤＤ２８に保存する（Ｓ１１５）。
【００５０】
その後、共有サーバ２０の処理手段は、デバイスの機能の属性値をＨＤＤ２８の設定情報ファイルから読み出して、当該読み出した属性値に応じてデバイスとしてのプリンタ１０を動作させる。
【００５１】
これによると、設定プログラムを実行している場合には、デバイスドライバの実行時に特殊設定画面が表示され、設定プログラムを実行せずにデバイスドライバを実行した場合には、特殊設定画面が表示されない。
【００５２】
〔ＰＣの動作について〕
【００５３】
ＰＣ３０は、設定プログラムがインストールされていない点を除いて、共有サーバ２０の構成と同じである。そして、ＰＣ３０の処理手段は、設定プログラムを実行しないので、デバイスドライバの特殊設定を許可することを示す特殊設定フラグが設定情報ファイル又はＨＤＤ３８に格納されることはない。したがって、ＰＣ３０の処理手段が、デバイスドライバとしてのプリンタドライバを実行しても、特殊設定画面は表示されず、設定項目の属性値を設定情報ファイルに格納することはできない。
【００５４】
以上により、コンピュータを利用するユーザの権限とは別個に、プリンタドライバの初期設定を制限することができる。また、共有サーバでプリンタドライバを共有することにより、当該プリンタドライバを一般ユーザの利用するコンピュータにインストールする際に、共有サーバのプリンタドライバの初期設定をそのまま一般ユーザの利用するコンピュータで利用することができる。
【００５５】
さらに、本実施形態では、プリンタドライバに本発明を適用しているが、他の装置のデバイスドライバにも適用することができる。
【図面の簡単な説明】
【００５６】
【図１】本実施形態の全体構成を示すブロック図である。
【図２】共有サーバの構成図である。
【図３】設定情報ファイルの構造図である。
【図４】ＰＣの構成図である。
【図５】実施形態１の設定プログラムを実行する共有サーバのフローチャートである。
【図６】実施形態１のプリンタドライバを実行する共有サーバのフローチャートである。
【図７】設定情報ファイルに格納されるデータの変化を示す図である。
【図８】実施形態２の設定プログラムを実行する共有サーバのフローチャートである。
【図９】実施形態２のプリンタドライバを実行する共有サーバのフローチャートである。
【符号の説明】
【００５７】
１０  プリンタ（デバイス）
２０  共有サーバ（コンピュータ）
２１  バス
２２  ＣＰＵ（処理手段）
２３  ＲＡＭ（記憶手段）
２４  ＲＯＭ（記憶手段）
２５  ＮＩＣ（通信手段）
２６  キーボード（入力手段）
２７  マウス（入力手段）
２８  ＨＤＤ（記憶手段）
２９  ディスプレイ（表示手段）
３０  ＰＣ（コンピュータ）
３１  バス
３２  ＣＰＵ（処理手段）
３３  ＲＡＭ（記憶手段）
３４  ＲＯＭ（記憶手段）
３５  ＮＩＣ（通信手段）
３６  キーボード（入力手段）
３７  マウス（入力手段）
３８  ＨＤＤ（記憶手段）
３９  ディスプレイ（表示手段）
４０  ＬＡＮ（通信ネットワーク）
【図１】
2006209292.tif 000003
【図２】
2006209292.tif 000004
【図３】
2006209292.tif 000005
【図４】
2006209292.tif 000006
【図５】
2006209292.tif 000007
【図６】
2006209292.tif 000008
【図７】
2006209292.tif 000009
【図８】
2006209292.tif 000010
【図９】
2006209292.tif 000011